(57)【要約】【課題】画像読取部とそれを制御する主制御部とが空間的に離れた構成を有しつつ、画像読取部と主制御部との間の配線によるノイズの発生をより抑制すること。【解決手段】筐体に固定された制御ユニット２０と、原稿の読取面を移動して走査可能なキャリッジ３０とが照射指令配線４１を介して接続されている。また、キャリッジ３０に搭載された赤ＬＥＤ３１Ｒ，緑ＬＥＤ３１Ｇ，青ＬＥＤ３１Ｂ、トランジスタ３４Ｒ，３４Ｇ，３４Ｂ及びＬＥＤ制御部３５により原稿への光の照射を実行可能である。よって、光の照射に用いられるような大きい電流が流れる３本のＬＥＤ電力線３１Ｃの長さがキャリッジ３０から制御ユニット２０へ接続する場合に比べて短くなる。また、トランジスタ３４Ｒ，３４Ｇ，３４ＢによりスイッチングされるＬＥＤ電力線３１Ｃがキャリッジ３０の移動に伴って揺動することもない。【選択図】図１
2008228030.tif 000002
【特許請求の範囲】
【請求項１】
読取指令配線と照射指令配線とを含む接続配線と、
前記読取指令配線及び前記照射指令配線の一端に接続され、該照射指令配線を介して照射指令を出力し該読取指令配線を介して読取指令を出力する指令出力手段を搭載しており、筐体に固定されている主制御部と、
電力配線と、該電力配線が接続され読取対象へ光を照射する複数の照射手段と、前記電力配線に各々接続され電力の供給及び停止を行う複数のスイッチング手段と、前記照射指令配線の一端に接続され前記照射指令に基づいて前記複数の照射手段へ電力の供給及び停止を行うよう前記スイッチング手段を制御する照射制御手段と、前記読取指令配線が接続され前記読取対象を介して得られる光により該読取指令配線を介して入力した前記読取指令に基づいて画像を読み取る読取手段とを搭載しており、前記読取対象の読取面を移動により走査可能である画像読取部と、
を備えた画像読取装置。
【請求項２】
前記照射制御手段は、前記照射指令を入力すると予め設定された一連のタイミングで前記複数の照射手段への電力の供給及び停止が行われるよう前記複数のスイッチング手段を制御する手段である、
請求項１に記載の画像読取装置。
【請求項３】
前記画像読取部は、前記読取手段から出力されるアナログ信号を増幅すると共にデジタル信号へと変換する信号増幅変換手段を更に搭載している、
請求項１又は２に記載の画像読取装置。
【請求項４】
前記信号増幅変換手段と前記照射制御手段とがワンチップとして構成されている、
請求項３に記載の画像読取装置。
【請求項５】
前記読取手段は、コンタクトイメージセンサとして構成されている、
請求項１〜４のいずれかに記載の画像読取装置。
【請求項６】
読取指令配線と照射指令配線とを含む接続配線と、
前記読取指令配線及び前記照射指令配線の一端に接続され、該照射指令配線を介して照射指令を出力し該読取指令配線を介して読取指令を出力する指令出力手段を搭載しており、筐体に固定されている主制御部と、
電力配線と、該電力配線が接続され読取対象へ光を照射する複数の照射手段と、前記電力配線に各々接続され電力の供給及び停止を行う複数のスイッチング手段と、前記照射指令配線の一端に接続され前記照射指令に基づいて前記複数の照射手段へ電力の供給及び停止を行うよう前記スイッチング手段を制御する照射制御手段と、前記読取指令配線が接続され前記読取対象を介して得られる光により該読取指令配線を介して入力した前記読取指令に基づいて画像を読み取る読取手段とを搭載しており、前記読取対象の読取面を移動により走査可能である画像読取部と、を備えた画像読取装置の制御方法であって、
（ａ）前記指令出力手段が前記照射指令を前記照射制御手段へ出力するステップと、
（ｂ）前記照射制御手段が前記ステップ（ａ）で出力された前記照射指令を入力すると予め設定された一連のタイミングで前記複数の照射手段への電力の供給及び停止が行われるよう前記複数のスイッチング手段を制御するステップと、
を含む画像読取装置の制御方法。
【発明の詳細な説明】
【技術分野】
【０００１】
本発明は、画像読取装置及びその制御方法に関する。
【背景技術】
【０００２】
従来より、赤、緑、青３種類の光源ＬＥＤと、その光源ＬＥＤの点灯制御（照射制御）を行うＬＥＤ制御部とを備えたファクシミリが知られている。例えば、特許文献１に記載のファクシミリでは、その３種類の光源ＬＥＤを読取りセンサ（キャリッジ）に搭載し、また、そのＬＥＤ制御部を読取りセンサの駆動制御を行うセンサ制御部（制御ユニット）に搭載している。
【特許文献１】特開平１０−２３２１９号公報
【発明の開示】
【発明が解決しようとする課題】
【０００３】
ところで、特許文献１に記載のファクシミリでは、例えば、制御ユニットが筐体に固定されキャリッジが移動する場合など、キャリッジと制御ユニットとが空間的に離れている場合がある、この場合は、キャリッジに搭載された光源ＬＥＤと制御ユニットに搭載されたＬＥＤ制御部とが比較的長い電力配線で電気的に接続されていなければならない。この場合、光源ＬＥＤへＬＥＤ制御部から電流を流して電力供給し照射制御するとき、光源ＬＥＤからの光の照射と照射停止とを行うことは信号線を流れる比較的大きな電流をオンオフすることになる。その結果、その比較的長い信号線に起因して大きなノイズが発生する場合があった。
【０００４】
本発明は、上述した課題に鑑みなされたものであり、読取対照へ光を照射する画像読取部とそれを制御する主制御部とが空間的に離れた構成を有しつつ、画像読取部と主制御部との間の配線によるノイズの発生をより抑制することができる画像読取装置及びその制御方法を提供することを目的とする。
【課題を解決するための手段】
【０００５】
本発明は、上述の目的を達成するために以下の手段を採った。
【０００６】
本発明の画像読取装置は、
読取指令配線と照射指令配線とを含む接続配線と、
前記読取指令配線及び前記照射指令配線の一端に接続され、該照射指令配線を介して照射指令を出力し該読取指令配線を介して読取指令を出力する指令出力手段を搭載しており、筐体に固定されている主制御部と、
電力配線と、該電力配線が接続され読取対象へ光を照射する複数の照射手段と、前記電力配線に各々接続され電力の供給及び停止を行う複数のスイッチング手段と、前記照射指令配線の一端に接続され前記照射指令に基づいて前記複数の照射手段へ電力の供給及び停止を行うよう前記スイッチング手段を制御する照射制御手段と、前記読取指令配線が接続され前記読取対象を介して得られる光により該読取指令配線を介して入力した前記読取指令に基づいて画像を読み取る読取手段とを搭載しており、前記読取対象の読取面を移動により走査可能である画像読取部と、
を備えたものである。
【０００７】
この画像読取装置では、筐体に固定された主制御部と、読取対象の読取面を移動して走査可能な画像読取部とが照射指令配線を介して接続されている。また、画像読取部に搭載された照射手段、スイッチング手段及び照射制御手段により読取対象への光の照射を実行可能である。よって、光の照射に用いられるような大きい電流が流れる電力配線の長さが画像読取部から主制御部へ接続する場合に比べて短くなる。また、スイッチング手段によりスイッチングされる電力配線が画像読取部の移動に伴って揺動することもない。したがって、例えば主制御部にスイッチング手段を搭載して主制御部に電力配線を接続した構成で画像読取部を移動して読取対象を読み取る場合に比して、画像読取部と主制御部との間に接続された配線によるノイズの発生をより抑制することができる。
【０００８】
本発明の画像読取装置において、前記照射制御手段は、前記照射指令を入力すると予め設定された一連のタイミングで前記複数の照射手段への電力の供給及び停止が行われるよう前記複数のスイッチング手段を制御する手段であるとしてもよい。こうすれば、指令出力手段が照射指令を出力するだけで各照射手段の一連の照射制御を実行可能であるため処理を簡単にすることができる。また、各照射手段ごとに、指令配線を設けなくてよいため構成を簡単にすることができる。
【０００９】
本発明の画像読取装置において、前記画像読取部は、前記読取手段から出力されるアナログ信号を増幅すると共にデジタル信号へと変換する信号増幅変換手段を更に搭載しているものとしてもよい。こうすれば、信号増幅変換手段を主制御部に搭載しているものに比して、アナログ信号の配線が短くなるため、ノイズを低減することができる。このとき、前記信号増幅変換手段と前記照射制御手段とがワンチップとして構成されているものとしてもよい。こうすれば、コンパクトにすることができると共にコストを低減することができる。
【００１０】
本発明の画像読取装置において、前記読取手段は、コンタクトイメージセンサとして構成されているものとしてもよい。こうすれば、コンタクトイメージセンサは複数の照射手段を用いることが多いため、本発明を適用する意義が高い。
【００１１】
本発明の画像読取装置の制御方法は、読取指令配線と照射指令配線とを含む接続配線と、
前記読取指令配線及び前記照射指令配線の一端に接続され、該照射指令配線を介して照射指令を出力し該読取指令配線を介して読取指令を出力する指令出力手段を搭載しており、筐体に固定されている主制御部と、
電力配線と、該電力配線が接続され読取対象へ光を照射する複数の照射手段と、前記電力配線に各々接続され電力の供給及び停止を行う複数のスイッチング手段と、前記照射指令配線の一端に接続され前記照射指令に基づいて前記複数の照射手段へ電力の供給及び停止を行うよう前記スイッチング手段を制御する照射制御手段と、前記読取指令配線が接続され前記読取対象を介して得られる光により該読取指令配線を介して入力した前記読取指令に基づいて画像を読み取る読取手段とを搭載しており、前記読取対象の読取面を移動により走査可能である画像読取部と、を備えた画像読取装置の制御方法であって、
（ａ）前記指令出力手段が前記照射指令を前記照射制御手段へ出力するステップと、
（ｂ）前記照射制御手段が前記ステップ（ａ）で出力された前記照射指令を入力すると予め設定された一連のタイミングで前記複数の照射手段への電力の供給及び停止が行われるよう前記複数のスイッチング手段を制御するステップと、
を含むものである。
【００１２】
この画像読取装置の制御方法では、筐体に固定された主制御部と、読取対象の読取面を移動して走査可能な画像読取部とが照射指令配線を介して接続されている。また、画像読取部に搭載された照射手段、スイッチング手段及び照射制御手段により読取対象への光の照射を実行可能である。よって、光の照射に用いられるような大きい電流が流れる電力配線の長さが画像読取部から主制御部へ接続する場合に比べて短くなる。また、スイッチング手段によりスイッチングされる電力配線が画像読取部の移動に伴って揺動することもない。したがって、例えば主制御部にスイッチング手段を搭載して主制御部に電力配線を接続した構成で画像読取部を移動して読取対象を読み取る場合に比して、画像読取部と主制御部との間に接続された配線によるノイズの発生をより抑制することができる。また、照射指令を入力したあと予め設定された一連のタイミングで複数の照射手段への電力の供給及び停止が行われるよう複数のスイッチング手段を制御するから、指令出力手段が照射指令を出力するだけで各照射手段の一連の照射制御を行うことができるため処理を簡単にすることができる。また、各照射手段ごとに、指令配線を設けなくてよいため構成を簡単にすることができる。
【発明を実施するための最良の形態】
【００１３】
次に、本発明を実施するための最良の形態を図面を用いて説明する。図１は、本発明の一実施形態であるスキャナ装置１０の構成の概略を示す構成図である。スキャナ装置１０は、図１に示すように、読取面１１に載置された読取原稿の画像を移動により走査して読み取るキャリッジ３０と、筐体に固定され装置全体の制御を司る制御ユニット２０と、キャリッジ３０と制御ユニット２０とを電気的に接続する接続配線４０とを備えている。接続配線４０は、制御ユニット２０とキャリッジ３０とを電気的に接続するケーブルの束であり、電力を供給する第１電力供給線４７及び第２電力供給線４８，照射指令を伝える照射指令配線４１，読取指令を伝える読取指令配線４２，シリアル信号を伝えるシリアル信号配線４３，デジタル画像データの信号を伝えるデジタル信号配線４４，マスタクロックを伝えるマスタクロック配線４５，センサクロックを伝えるセンサクロック配線４６を含んでいる。この接続配線４０は、筐体に固定されている制御ユニット２０に対してキャリッジ３０が移動するため比較的長いもの（例えば１ｍのもの）を用いている。
【００１４】
キャリッジ３０は、読取面１１に載置された原稿に光を照射する光源ユニット３１と、原稿で反射した光を受けることにより画像を読み取るコンタクトイメージセンサ（ＣＩＳ）３２と、光源ユニット３１への電力の供給・停止を行うと共にコンタクトイメージセンサ３２からの微小アナログ信号を増幅してデジタル信号へと変換するアナログフロントエンド（ＡＦＥ）３３とを備えている。このキャリッジ３０は、スキャナ装置１０の筐体の一端に取り付けられた駆動モータ３９と筐体の他端側に取り付けられた従動ローラ３８ａとの間に架設されたキャリッジベルト３８が駆動モータ３９によって駆動されるのに伴ってキャリッジ移動方向（副走査方向）へ移動する。光源ユニット３１は、ＬＥＤ電力線３１Ｃが接続され赤色光を照射する赤ＬＥＤ３１Ｒ，緑色光を照射する緑ＬＥＤ３１Ｇ，青色光を照射する青ＬＥＤ３１Ｂをその内部に配置しており、これらいずれかのＬＥＤの光を原稿の読取面へ照射可能に構成されている。ＣＩＳ３２は、読取指令配線４２やセンサクロック配線４６などが接続されており、直列に配列された複数の撮像素子からなっている。この撮像素子は、画素に対応する光電変換素子であり露光されたときの光を電荷に変換して蓄積するフォトダイオード３２ａと、各フォトダイオード３２ａごとに形成されフォトダイオード３２ａから受け取った電荷を転送可能なＣＣＤ３２ｂとを備えている。このＣＩＳ３２は、読取指令配線４２を介して読取指令を入力するとフォトダイオード３２ａに蓄積されている電荷をＣＣＤ３２ｂへ転送することによって、画像を読み取る。なお、ここではＣＩＳ３２としてＣＣＤイメージセンサを例示したが、ＣＭＯＳ型のイメージセンサを採用してもよい。ＡＦＥ３３は、赤ＬＥＤ３１Ｒ，緑ＬＥＤ３１Ｇ，青ＬＥＤ３１ＢにＬＥＤ電力線３１Ｃを介して接続されたトランジスタ３４Ｒ，３４Ｇ，３４Ｂと、各トランジスタと電気的に接続されたＬＥＤ制御部３５と、ＣＩＳ３２と電気的に接続された増幅器３６と、増幅器３６と電気的に接続されたＡ／Ｄ変換器３７とを備えている。このＡＦＥ３３は、ワンチップとして構成されている。ＬＥＤ制御部３５には、照射指令配線４１や、読取指令配線４２、シリアル信号配線４３、マスタクロック配線４５が接続されている。このＬＥＤ制御部３５は、照射指令に基づいてトランジスタ３４Ｒ，３４Ｇ，３４Ｂに印加する電圧をオンオフすることで、トランジスタ３４Ｒ，３４Ｇ，３４Ｂをスイッチング動作させ、各ＬＥＤへの電力の供給及び停止を行う。また、増幅器３６及びＡ／Ｄ変換器３７には、シリアル信号配線４３やマスタクロック配線４５が接続されている。この増幅器３６は、ＣＩＳ３２から微小アナログ信号を入力し増幅してＡ／Ｄ変換器３７へ出力する。Ａ／Ｄ変換器３７は、増幅されたアナログ信号を入力してデジタル信号に変換しデジタル信号配線４４を介して制御ユニット２０へ出力する。
【００１５】
制御ユニット２０は、装置全体の制御を司るメインコントローラ２１と、電源ユニット２５とを備えている。電源ユニット２５には、第１電力供給線４７や第２電力供給線４８などが接続されている。この電源ユニット２５は、図示しない商用交流電源から電力を入力し、各ＬＥＤに電力を供給したり、図示しない電力配線を介して、制御ユニット２０、駆動モータ３９、キャリッジ３０などに電力を供給したりするものである。また、第１電力供給線４７は、キャリッジ３０の内部で３本に分岐し、赤ＬＥＤ３１Ｒ，緑ＬＥＤ３１Ｇ及び青ＬＥＤ３１Ｂの一端に接続されている。更に、第２電力供給線４８は、キャリッジ３０の内部で３本に分岐し、トランジスタ３４Ｒ，３４Ｇ，３４Ｂと接続されている。メインコントローラ２１には、接続配線４０が接続されている。このメインコントローラ２１は、図示しないＣＰＵを中心とするマイクロプロセッサとして構成されており、ユーザパソコン（ＰＣ）５０などの外部機器と接続可能なインタフェース（Ｉ／Ｆ）２６と、図示しない入出力ポートとを備えている。メインコントローラ２１には、Ｉ／Ｆ２６を介してＰＣ５０からの読取指令など各種の信号や接続配線４０のデジタル信号配線４４を介してＡ／Ｄ変換器３７からのデジタル画像データの信号などが入力される。また、メインコントローラ２１からは、接続配線４０の照射指令配線４１を介してＬＥＤ制御部３５への照射指令の信号（ＬＥＤＳｔａｒｔ信号）や、読取指令配線４２を介してＣＩＳ３２及びＬＥＤ制御部３５への読取指令の信号（シフト（ＳＨ）信号）、シリアル信号配線４３を介してＬＥＤ制御部３５及び増幅器３６への設定信号、マスタクロック配線４５を介してＬＥＤ制御部３５及びＡ／Ｄ変換器３７へのマスタクロック、センサクロック配線４６を介してＣＩＳ３２へのセンサクロック、Ｉ／Ｆ２６を介してＰＣ５０へのデジタル画像データの信号、駆動モータ３９への駆動信号などが出力される。ここで、「設定信号」は、ＡＦＥ３３の増幅器３６のゲイン及びオフセットの設定やＬＥＤ制御部３５が各ＬＥＤを照射・照射停止させるタイミングの設定などを行うための信号である。また、「マスタクロック」は、アナログデータをデジタルデータに変換するタイミングを決める信号である。更に、「センサクロック」は、ＣＩＳ３２の基本クロックである。
【００１６】
このように、ＬＥＤ制御部３５とトランジスタ３４Ｒ，３４Ｇ，３４Ｂとを含むＡＦＥ３３をキャリッジ３０に搭載し、３本のＬＥＤ電力線３１Ｃをキャリッジ３０内の配線とすることで、３本の電力線３１Ｃを短くしつつ、接続配線４０に含まれる配線のうち比較的大きな電流が流れ且つオンオフされる配線の数を少なくしているのである。
【００１７】
次に、こうして構成された本実施形態のスキャナ装置１０の動作、特に、原稿を読み取る際に原稿へ光を照射する動作について説明する。図２はメインコントローラ２１がＬＥＤＳｔａｒｔ信号を初めて出力してから各ＬＥＤが２度光を照射した後までの、ＬＥＤＳｔａｒｔ信号、ＳＨ信号及び各ＬＥＤの様子を表すタイミングチャートである。ここでは、ＬＥＤ制御部３５は、メインコントローラ２１からＬＥＤＳｔａｒｔ信号を受信すると、ＳＨ信号にかかわらず、予め定められたタイミングで赤ＬＥＤ３１Ｒ，緑ＬＥＤ３１Ｇ，青ＬＥＤ３１Ｂの順に光源ユニット３１を照射制御するよう設定されている。なお、このタイミングは、既述の設定信号をシリアル転送によりＬＥＤ制御部３５に送信することで再設定が可能である。図２に示すように、メインコントローラ２１は、信号を接続配線４０の読取指令配線４２を介してＬＥＤ制御部３５に出力する（時刻ｔ１）。このＳＨ信号を受けたＣＩＳ３２は、フォトダイオード３２ａに蓄積されていた不要な電荷を破棄する。また、このＬＥＤＳｔａｒｔ信号を受けたＬＥＤ制御部３５は、上記の予め定められたタイミングで光源ユニット３１を照射制御する。即ち、ＬＥＤＳｔａｒｔ信号の受信後赤ＬＥＤ３１Ｒから赤色光が照射・照射停止されるようトランジスタ３４Ｒのスイッチングを行う（時刻ｔ２，ｔ３）。なお、ここでは、ＣＩＳ３２からの電荷の読み出しの関係より、ＳＨ信号間隔よりも短い間隔で且つＳＨ信号の間に光源ユニット３１から光を照射するよう設定されている。次に、ＬＥＤ制御部３５は、メインコントローラ２１からＳＨ信号が出力されたあと（時刻ｔ４）、緑ＬＥＤ３１Ｇから緑色光が照射・照射停止されるようトランジスタ３４Ｇのスイッチングを行う（時刻ｔ５，ｔ６）。続いて、ＬＥＤ制御部３５は、メインコントローラ２１からＳＨ信号が出力されたあと（時刻ｔ７）、青ＬＥＤ３１Ｂから青色光が照射・照射停止されるようトランジスタ３４Ｂのスイッチングを行う（時刻ｔ８，ｔ９）。このように、ＬＥＤＳｔａｒｔ信号の受信のみに従って、光源ユニット３１の照射・照射停止を行う処理を繰り返すのである（時刻ｔ１０〜ｔ１１）。なお、このスキャナ装置１０では、ＬＥＤ制御部３５がＬＥＤＳｔａｒｔ信号を受信しなかったときには（時刻ｔ１２）、光源ユニット３１の照射を行わないように設定されている。これは、電力の消費を抑えるためである。
【００１８】
ここで、本実施形態の構成要素と本発明の構成要素との対応関係を明らかにする。本実施形態の接続配線４０が本発明の接続配線に相当し、制御ユニット２０が主制御部に相当し、キャリッジ３０が画像読取部に相当し、メインコントローラ２１が指令出力手段に相当し、赤ＬＥＤ３１Ｒ，緑ＬＥＤ３１Ｇ及び青ＬＥＤ３１Ｂが照射手段に相当し、トランジスタ３４Ｒ，３４Ｇ，３４Ｂがスイッチング手段に相当し、ＬＥＤ制御部３５が照射制御手段に相当し、ＣＩＳ３２が読取手段に相当し、照射指令配線４１が照射指令配線に相当し、読取指令配線４２が読取指令配線に相当し、ＬＥＤ電力線３１Ｃが電力配線に相当し、照射開始信号が照射指令に相当し、増幅器３６及びＡ／Ｄ変換器３７が信号増幅変換手段に相当する。なお、本実施形態では、スキャナ装置１０の動作を説明することにより本発明の画像読取装置の制御方法の一例も明らかにしている。
【００１９】
以上詳述した本実施形態のスキャナ装置１０によれば、筐体に固定された制御ユニット２０と、原稿の読取面を移動して走査可能なキャリッジ３０とが照射指令配線４１を介して接続されている。また、キャリッジ３０に搭載された赤ＬＥＤ３１Ｒ，緑ＬＥＤ３１Ｇ，青ＬＥＤ３１Ｂ、トランジスタ３４Ｒ，３４Ｇ，３４Ｂ及びＬＥＤ制御部３５により原稿への光の照射を実行可能である。よって、光の照射に用いられるような大きい電流が流れる３本のＬＥＤ電力線３１Ｃの長さがキャリッジ３０から制御ユニット２０へ接続する場合に比べて短くなる。また、トランジスタ３４Ｒ，３４Ｇ，３４ＢによりスイッチングされるＬＥＤ電力線３１Ｃがキャリッジ３０の移動に伴って揺動することもない。したがって、例えば制御ユニット２０にトランジスタ３４Ｒ，３４Ｇ，３４Ｂを搭載して制御ユニット２０にＬＥＤ電力線３１Ｃを接続した構成でキャリッジ３０を移動して原稿を読み取る場合に比して、キャリッジ３０と制御ユニット２０との間に接続された接続配線４０によるノイズの発生をより抑制することができる。
【００２０】
また、ＬＥＤ制御部３５は、メインコントローラ２１から出力されたＬＥＤＳｔａｒｔ信号を入力したあと予め設定された赤緑青の一連のタイミングで赤ＬＥＤ３１Ｒ，緑ＬＥＤ３１Ｇ及び青ＬＥＤ３１Ｂへの電力の供給及び停止が行われるようトランジスタ３４Ｒ，３４Ｇ，３４Ｂを制御するから、メインコントローラ２１がＬＥＤＳｔａｒａｔ信号を出力するだけで赤ＬＥＤ３１Ｒ，緑ＬＥＤ３１Ｇ及び青ＬＥＤ３１Ｂの一連の照射制御を行うことができるため処理を簡単にすることができる。また、各ＬＥＤごとに、指令配線を設けなくてよいため構成を簡単にすることができる。
【００２１】
更に、キャリッジ３０は、増幅器３６及びＡ／Ｄ変換器３７を更に搭載しているものであるから、これらを制御ユニット２０に搭載しているものに比して、アナログ信号の配線が短くなるため、ノイズを低減することができる。更にまた、増幅器３６とＡ／Ｄ変換器３７とＬＥＤ制御部３５とがワンチップとして構成されたものであるから、コンパクトであると共にコストを低減することができる。
【００２２】
なお、本発明は上述した実施形態に何ら限定されることはなく、本発明の技術的範囲に属する限り種々の態様で実施し得ることはいうまでもない。
【００２３】
例えば、上述した実施形態では、ＬＥＤ制御部３５がＡＦＥ３３に含まれたワンチップとして構成されたものとしたが、ＬＥＤ制御部３５とＡＦＥ３３は、別のチップとして構成されているものとしてもよい。このとき、ＡＦＥ３３は、制御ユニット２０に搭載されているものとしてもよい。こうしても、例えば制御ユニット２０にトランジスタ３４Ｒ，３４Ｇ，３４Ｂを搭載して制御ユニット２０にＬＥＤ電力線３１Ｃを接続した構成でキャリッジ３０を移動して原稿を読み取る場合に比して、キャリッジ３０と制御ユニット２０との間に接続された接続配線４０によるノイズの発生をより抑制することができる。
【００２４】
上述した実施形態では、赤ＬＥＤ３１Ｒ、緑ＬＥＤ３１Ｇ及び青ＬＥＤ３１Ｂを用いるものとしたが、比較的大きな電流の流れる光源を用いるものであればこれら３色のＬＥＤを用いるものでなくてもよい。例えば、これら３色のうちの２つのＬＥＤを用いるものとしてもよい。また、レーザ光源を用いるものとしてもよいし、有機ＥＬ光源を用いるものとしてもよい。
【００２５】
上述した実施形態では、赤ＬＥＤ３１Ｒ，緑ＬＥＤ３１Ｇ，青ＬＥＤ３１Ｂを備え原稿をカラーで読み取る構成としたが、カラーで読み取るものでなくてもよい。例えば、これら３色のＬＥＤを備え、隣り合うＳＨ信号の間に赤ＬＥＤ３１Ｒ，緑ＬＥＤ３１Ｇ，青ＬＥＤ３１Ｂから光を照射してモノクロで読み取る構成としてもよい。
【００２６】
上述した実施形態では、１列に配列されたフォトダイオードを撮像素子として搭載するものとしたが、３列に配列され、各列がそれぞれ、赤緑青のいずれかの光を検出するよう構成されたフォトダイオードを検出素子として搭載するものとしてもよい。また、ＣＩＳ３２を用いるものとしたが、縮小光学系を用いるものとしてもよい。このとき、撮像素子を筐体に固定するようにしてもよい。
【００２７】
上述した実施形態では、メインコントローラ２１がＣＩＳ３２にＳＨ信号やセンサクロックを送信するものとしたが、メインコントローラ２１から独立した専用のコントローラがＳＨ信号やセンサクロックを送信するものとしてもよい。
【００２８】
上述した実施形態では、電源ユニット２５が制御ユニット２０に搭載されているものとしたが、制御ユニット２０に搭載されていなくてもよい。例えば、筐体に直接固定されていてもよい。
【００２９】
上述した実施形態では、第１電力供給線４７及び第２電力供給線４８が接続配線４０に含まれるものとしたが、含まれないものとしてもよい。例えば、接続配線４０とは別の配線として制御ユニット２０とキャリッジ３０との間で電気的に接続されているものとしてもよい。
【００３０】
上述した実施形態では、原稿で反射した光をＣＩＳ３２で受けることにより画像を読み取る反射型の構成を採用するものとしたが、原稿を透過した光をＣＩＳ３２で受けることにより画像を読み取る透過型の構成を採用するものとしてもよい。
【００３１】
上述した実施形態では、本発明をスキャナ装置１０に適用することについて説明したが、光を照射して原稿を読み取るキャリッジ３０とそれを制御する制御ユニット２０とが別れて、配線で接続されているものであれば、如何なるものに適用してもよい。例えば、複合機や、コピー機に適用してもよい。
【図面の簡単な説明】
【００３２】
【図１】スキャナ装置１０の外観図及び概略構成を示す構成図。
【図２】ＬＥＤＳｔａｒｔ信号、ＳＨ信号及び各ＬＥＤのタイミングチャート。
【符号の説明】
【００３３】
１０  スキャナ装置、１１  読取面、２０  制御ユニット、２１  メインコントローラ、２５  電源ユニット、２６  インタフェース（Ｉ／Ｆ）、３０  キャリッジ、３１  光源ユニット、３１Ｒ  赤ＬＥＤ、３１Ｇ  緑ＬＥＤ、３１Ｂ  青ＬＥＤ、３１Ｃ  ＬＥＤ電力線、３２  コンタクトイメージセンサ（ＣＩＳ）、３２ａ  フォトダイオード、３２ｂ  ＣＣＤ、３３  アナログフロントエンド（ＡＦＥ）、３４Ｒ，３４Ｇ，３４Ｂ  トランジスタ、３５  ＬＥＤ制御部、３６  増幅器、３７  Ａ／Ｄ変換器、３８  キャリッジベルト、３８ａ  従動ローラ、３９  駆動モータ、４０  接続配線、４１  照射指令配線、４２  読取指令配線、４３  シリアル信号配線、４４  デジタル信号配線、４５  マスタクロック配線、４６  センサクロック配線、４７  第１電力供給線、４８  第２電力供給線、５０  ＰＣ。
【図１】
2008228030.tif 000003
【図２】
2008228030.tif 000004